(57)【特許請求の範囲】
【請求項１】
手前面と上面とを有した箱状ゲームユニットキャビネットの上面に、ゲームの進行状況、賭け率、ゲーム結果、配当等を表示する表示機器の表示面が上方に向いて配置されるとともに、該表示機器の一側方に位置して紙幣収受装置が配置され、
前記表示機器および紙幣収受装置の上面を覆う前記箱状ゲームユニットキャビネットの上面部材に、該紙幣収受装置の上部が露出する開口部が形成され、
該開口部を開閉自在に密閉しうる蓋部材と、該蓋部材を錠止しうる錠止機構とが設けられ、
前記紙幣収受装置を上下に昇降しうる昇降機構を備え、前記蓋部材を上方へ開放した状態にて、前記昇降機構により前記紙幣収受装置は上昇されて、修理、保守、点検等が可能となり、
前記昇降機構は、２段階に昇降可能となり、２段目の上昇は、前記蓋部材の錠止機構とは異なる錠止機構の解錠により可能となり、前記紙幣収受装置は、上方の紙幣検収器と下方の紙幣収納器とよりなり、上方の前記紙幣検収器は１段目の紙幣収受装置の上昇で、下方の前記紙幣収納器は２段目の紙幣収受装置の上昇でもって、それぞれ前記箱状ゲームユニットキャビネットより分離取出し可能に構成されたことを特徴とするゲーム機。
【請求項２】
前記紙幣収受装置の上方開口部を密封する蓋部材は、該蓋部材の奥側縁を中心として上下に開閉自在に前記箱状ゲームユニットキャビネットに枢着されたことを特徴とする請求項１記載のゲーム機。
【請求項３】
前記表示機器および紙幣収受装置の上面を覆う前記箱状ゲームユニットキャビネットのトップドアは、前記蓋部材の奥側縁枢支軸と同一支軸を中心に上下に開閉自在に枢支されたことを特徴とする請求項２記載のゲーム機。
【請求項４】
前記紙幣収受装置は、上方の紙幣検収器と下方の紙幣収納器とよりなり、両者は分離可能に構成されたことを特徴とする請求項１ないし請求項３のいずれか１項記載のゲーム機。
【発明の詳細な説明】
【０００１】
【発明の属する技術分野】
本出願発明は、カジノゲーム機、競馬ゲーム機、競艇ゲーム機等のゲーム機本体の外周に隣接して複数個配置される箱状ゲームユニット構造に関するものである。
【０００２】
【従来技術および解決しようとする課題】
従来の箱状ゲームユニットにおいては、投入コインまたは投入メダル（以下、コイン、メダルを総称してコインと称する）から払出しコインを差引いた余剰コインを収納しうるキャッシュボックスが、ゲームユニットキャビネットの底部に配置され、その上に、ゲーム遂行に必要な制御を行なう扁平直方体状制御ユニット、コイン払出し装置、ゲームの進行状況、賭け率、ゲーム結果、配当等を表示する表示装置が順次重ねられるように配置されていた。
【０００３】
ところが、表示装置が大型化すると、その高さも増加し、必然的に箱状ゲームユニットキャビネットの高さも増大してしまう難点があった。
【０００４】
また、扁平直方体状制御ユニットを箱状ゲームユニットキャビネットの一方の側壁に隣接して鉛直に立てて配置した場合、コイン検収装置、コイン払出し口を、前記箱状ゲームユニットキャビネットの他方の側壁に隣接して配置する必要が生ずる。そして、制御ユニット、コイン払出し装置、コイン検収装置等の修理、保守、点検等を行うために、箱状ゲームユニットキャビネットの前面に片開き式にマシンドアを枢着すると、修理、点検の頻度の高いコイン検収装置を前記マシンドアの開放端側に設置する必要上、前記扁平直方体状制御ユニットを該マシンドアの枢着側に配置しなければならなかった。
【０００５】
その結果、前記扁平直方体状制御ユニットを箱状ゲームユニットキャビネットから取出そうとする時には、前記マシンドアを９０°以上に開放しなければならなかった。
【０００６】
また、プレイヤーが、ジュース、ビール等の飲料を飲みながらカジノゲーム、競馬ゲームを行なうことが多くなり、ゲーム中に、これらの飲料を箱状ゲームユニットキャビネットの上でこぼすと、トップドアの開口部と表示機器の頂部との隙間から箱状ゲームユニットキャビネット内に漏れ、該キャビネット内の各種機器に好ましくない悪影響が発生する。
【０００７】
さらに、箱状ゲームユニットキャビネットの手前面一側を中心として手前側に向って開閉自在に枢着されたマシンドアは、該マシンドアの自重によって該マシンドアの枢着部から離れるに従ってマシンドア下縁が下方へ傾斜し、きっちりと閉じないことがあった。
【０００８】
特に、マシンドアの下方にキャッシュボックス取出し用ドアが設けられた場合には、該マシンドアの下縁がキャッシュボックス取出し用ドアと干渉し、該キャッシュボックス取出し用ドアの開閉が円滑に遂行されないことがあった。
【０００９】
さらにまた、箱状ゲームユニットキャビネットの上面に上下に開閉自在にトップドアが設けられたゲームユニットキュアビネットでは、該トップドアが広く、相当な重量を有しているため、該トップドアを閉塞状態に錠止した錠止機構を解錠した時に、該トップドアを上方へ跳ね上げるガススプリングのスプリング力を前記トップドアの自重と閉塞方向の慣性力に対向して増強しなければならないが、ガススプリングのスプリング力を増強すると、トップドアを解錠した場合に、トップドアが勢良く跳ね上がってしまい、好ましくない。
【００１０】
しかも、プレイヤーがゲームの賭け金を紙幣で支払うようにした従来のゲームユニットでは、紙幣収受装置をゲームユニットキャビネットの前面に配置していたため、プレイヤーは中腰にしゃがみ込まねばならず、紙幣収受装置の受入れ口に紙幣を挿入することが困難であり、またゲームユニットキャビネットに隠れて不正を行なわれる可能性が高い。
【００１１】
【課題を解決するための手段および効果】
本出願発明は、このような難点を克服したゲーム機の改良に係り、請求項１記載の発明は、手前面と上面とを有した箱状ゲームユニットキャビネットの上面に、ゲームの進行状況、賭け率、ゲーム結果、配当等を表示する表示機器の表示面が上方に向いて配置されるとともに、該表示機器の一側方に位置して紙幣収受装置が配置され、前記表示機器および紙幣収受装置の上面を覆う前記箱状ゲームユニットキャビネットの上面部材に、該紙幣収受装置の上部が露出する開口部が形成され、該開口部を開閉自在に密閉しうる蓋部材と、該蓋部材を錠止しうる錠止機構とが設けられ、前記紙幣収受装置を上下に昇降しうる昇降機構を備え、前記蓋部材を上方へ開放した状態にて、前記昇降機構により前記紙幣収受装置は上昇されて、修理、保守、点検等が可能となり、前記昇降機構は、２段階に昇降可能となり、２段目の上昇は、前記蓋部材の錠止機構とは異なる錠止機構の解錠により可能となり、前記紙幣収受装置は、上方の紙幣検収器と下方の紙幣収納器とよりなり、上方の前記紙幣検収器は１段目の紙幣収受装置の上昇で、下方の前記紙幣収納器は２段目の紙幣収受装置の上昇でもって、それぞれ前記箱状ゲームユニットキャビネットより分離取出し可能に構成されたことを特徴とするものである。
【００１２】
請求項１記載の発明は、前記したように構成されているので、鍵を持った人だけが、前記錠止機構を解除して、前記蓋部材を開放し、前記紙幣収受装置を上方に露出して、該紙幣収受装置の修理、保守、点検等を行なうことができる。
【００１３】
前記昇降機構でもって前記紙幣収受装置を上昇させて、充分にこれを露出させ、修理、保守、点検等をより楽に確実に遂行することができる。
【００１４】
１段目の昇降が可能な鍵を持っているサービスマンのみが、故障や紙幣詰まりを起し易い紙幣検収器の修理、保守、点検、整備を行なうことができるとともに、１段目の昇降と２段目の昇降が可能な２種類の鍵を持っているゲーム機設置オーナーまたは責任者のみが、多数の紙幣が収納されている紙幣収納器からこの紙幣を取出すことができ、紙幣の保守、管理を安全かつ確実に行なうことができる。
【００１５】
また、請求項２記載のように発明を構成することにより、鍵を持った人が、前記蓋部材に邪魔されずに、箱状ゲームユニットキャビネットの手前側から前記紙幣収受装置を観察し、または手で触れることができ、前記箱状ゲームユニットキャビネットを全く動かすことなく、前記紙幣収受装置の修理、保守、点検等を容易に遂行することができる。
【００１６】
さらに、請求項３記載のように発明を構成することにより、前記トップドアの開閉と、前記蓋部材の開閉とを全く相互に干渉されることなく、それぞれ別個に行なうことができる。
【００１７】
そして、請求項４記載のように発明を構成することにより、紙幣検収器と紙幣収納器とをそれぞれ別個に修理、保守、点検等することができる。
【００１８】
【発明の実施の形態】
以下、図面に図示された本出願発明の一実施形態について説明する。
【００１９】
本出願発明が適用されるカジノゲーム機０は、カジノゲーム機０と、カジノゲーム機０の左右両側に４個ずつ計８個配設されるサテライトと称せられる箱状ゲームユニット２と、カジノゲーム機０および箱状ゲームユニット２の手前側に配設されてサイコロ３を投出するサイコロ振出し装置４と、カジノゲーム機０および箱状ゲームユニット２の奥側に配設されて、カジノゲーム機０全体の制御を行なうゲーム制御装置５と、該ゲーム制御装置５上に立設された表示装置６と、該表示装置６の両側の支持部７の頂端から手前側に張出された照明装置８とよりなり、前記サイコロ３は、稜角と頂角とが丸く形成された立方体状中空軟質プラスチック製であり、サイコロ振出し装置４によりカジノゲーム機０の上面上に３個のサイコロ３が振出されるようになっている。
【００２０】
また、プレイヤーは、各箱状ゲームユニット２の正面に立ち、サイコロ３の振出しに先だって、３個のサイコロ３の目の合計や、サイコロ３の目の出方、すなわち６種類の目の内、どの目がどのような組合せ、具体的には、同一目が２個または３個、あるいは、１、２、３のように順次目が並ぶとかを予測し、各箱状ゲームユニット２にて、紙幣またはコインを投入し、各プレイヤーが全て賭け金を賭け終った後に、サイコロ振出し装置４によるサイコロ３の振出しが行なわれ、予測が当たれば、当った箱状ゲームユニット２にて、コインが支払われるようになっている。
【００２１】
さらに、箱状ゲームユニット２の全体構造について説明すると、箱状ゲームユニット２の箱状ゲームユニットキャビネット９は、図３ないし図８に図示されるように、竪長の略直方体状をなし、図４および図５に図示されるように、その頂面部材であるトップドア10は、奥側から手前側に向って下方へ傾斜し、その手前側の肘掛け部11は、手前方向に略水平に突出し、該トップドア10奥側縁は、箱状ゲームユニットキャビネット９の背板９ａの頂縁にヒンジ58を介して上下に傾動自在に枢着されている。
【００２２】
さらにまた、トップドア10には、図１２に図示されるように、ＣＲＴ表示装置12の表示部12ａが遊嵌しうる表示開口10ａと、トップドア10の右側にて紙幣収受装置13の頂部が遊嵌しうる切欠き10ｂと、その手前側に配置されたコイン挿入孔10ｃと、さらにその手前に配置されたコイン払出し受け部14を収納しうる開口10ｄとが形成れ、トップドア10の左側に表示灯15を取付けるための凹部10ｅが設けられている。
【００２３】
また、箱状ゲームユニットキャビネット９内には、図９ないし図１１に図示されるように、ＣＲＴ表示装置12の左側下方に電源ユニット16とその右方にコイン払出し装置17とが配置され、該電源ユニット16およびコイン払出し装置17は、箱状ゲームユニットキャビネット９の中底板９ｂ上に据付けられ、前記ＣＲＴ表示装置12および電源ユニット16と箱状ゲームユニットキャビネット９の左側板９ｃとの間に扁平直方体状制御ユニットケース18が配置され、コイン払出し装置17の右方奥側に、紙幣収受装置13の頂部がトップドア10より上方に露出するように設置され、その手前側にコイン検収装置19が配置され、さらにその手前側にコイン払出し受け部14が配設されており、コイン払出し装置17のコインシュート17ａの上端は、コイン払出し受け部14の奥側コインガイド部14ａに接続されており、コインは、コイン払出し装置17よりコインシュート17ａを介してコイン払出し受け部14のコインガイド部14ａに送られ、コイン払出し受け部14の手前側受け皿14ｂに供給されるようになっている。
【００２４】
さらに、図１０に図示されるように、箱状ゲームユニットキャビネット９内の上部にて、コイン補充シュート20の開口部20ａがＣＲＴ表示装置12の手前側に配置され、該コイン補充シュート20の下部はコイン払出し装置17の上方に開口されており、コイン払出し装置17内のコインが不足すると、コイン不足表示がなされ、カジノゲーム機０の管理者が、コイン補充シュート20の上端開口部20ａより、多数のコインを投入し、コイン払出し装置17にコインを補充することができるようになっている。
【００２５】
さらにまた、コイン検収装置19の下部は、２叉状に形成され、一方の分岐シュート19ａ（図１１参照）は、コイン補充シュート20に開口され、他方の分岐シュート19ｂは、図１０に図示されるように、コイン払出し装置17の後方を迂回し、箱状ゲームユニットキャビネット９の中底板９ｂを貫通し、該中底板９ｂの下方のキャッシュボックス21の上方に開口し、この２叉状分岐部には図示されない切換装置が配設されており、コイン払出し装置17内のコインが満杯状態の場合には、コイン検収装置19に投入された正常なコインは、他方の分岐シュート19ｂを介してキャッシュボックス21に案内され、コイン払出し装置17内にコインが満杯でない場合には、コイン検収装置19に投入された正常コインは一方の分岐シュート19ａとコイン補充シュート20とを介してコイン払出し装置17に補充されるようになっている。
【００２６】
そして、コイン検収装置19に投入されたコインが不正コインの場合には、該不正コインは、コイン検収装置19の分岐シュート19ａ，19ｂに供給されずに、返却受け部22に排出されるようになっている。
【００２７】
また、図３、図１３および図１４に図示されるように、箱状ゲームユニットキャビネット９の左側板９ｃの手前縁にヒンジ23を介してマシンドア24が枢支され、該マシンドア24の略中央部には、箱状ゲームユニットキャビネット９内の図示されないスピーカから発せられた音声を外部へ導くための音声開口24ａと、その右方に位置して、前記返却受け部22と連通する返却開口24ｂとが形成され、該マシンドア24の下縁（図１４参照）には、手前側から奥側に向って緩やかに上方へ湾曲したマシンドア開閉ガイド片25が形成され、該マシンドア24の下方に位置して、箱状ゲームユニットキャビネット９の底板９ｅに、キャッシュボックスドア26の下縁がヒンジ27を介して前後に開閉自在に枢着され、箱状ゲームユニットキャビネット９の中底板９ｂと底板９ｅとの間の空間に図９、図１０に図示されるようにキャッシュボックス21が収納されており、マシンドア24の自重で右側部が下方へ傾斜した平行４辺形状に変形した場合でも、マシンドア開閉ガイド片25によりマシンドア24が矩形状に矯正され、キャッシュボックスドア26との開閉に干渉を起こさずに、マシンドア24およびキャッシュボックスドア26は円滑に開閉しうるようになっている。
【００２８】
さらに、箱状ゲームユニットキャビネット９の底板９ｅの手前側左右両端部には、図１４に図示されるように、キャスター28が鉛直軸を中心に旋回自在に取付けられ、箱状ゲームユニットキャビネット９の底板９ｅの奥側左右両端部には、図３ないし図８（図６は除く）に図示されるように、車輪29がブラケット30を介して回転自在に枢着され、これらキャスター28，車輪29に隣接して固定用スタッドボルト31が螺着されており、箱状ゲームユニットキャビネット９の移動時には、固定用スタッドボルト31は短縮れ、箱状ゲームユニットキャビネット９の据付け時には、伸長しうるようになっている。そして、箱状ゲームユニットキャビネット９の背板９ａの左右両側方上部には、握持用取手32が前後に出没自在に取付けられている。
【００２９】
しかして、扁平直方体状制御ユニットケース18は、図１７ないし図２２に図示されるように構成され、該扁平直方体状制御ユニットケース18の手前板18ａには、図１７に図示されるように、開口部18ｂが形成され、該開口部18ｂよりもやや大きい形状をした密閉板34が、制御基盤33の手前縁に直角に固着され、該制御基盤33には、図２２に図示されるように、各種制御部品取付け板35ａ，制御部品取付け板35ｂ，制御部品取付け板35ｃが平行に取付けられ、該制御部品取付け板35ａ，制御部品取付け板35ｂ，制御部品取付け板35ｃには、図示されないＩＣ，ＩＣメモリ等の電子部品が取付けられており、カジノゲーム機０のゲーム制御装置５と制御基盤33との間で信号の送受信が行なわれるとともに、制御基盤33からの信号によりＣＲＴ表示装置12に所要の映像が映し出され、コイン払出し装置17が駆動されるようになっている。
【００３０】
また、箱状ゲームユニットキャビネット９の左側板９ｃの内面に、図１８および図２０に図示されるように、２本の合成樹脂製のガイドレール36が所定の間隔を存し鉛直方向に一体に固着され、図１７および図２０に図示されるように、前記ガイドレール36と嵌合しうる摺動部材37が扁平直方体状制御ユニットケース18の左側板18ｃに一体に装着され、該扁平直方体状制御ユニットケース18の頂板18ｄに握持部38（図１８、図２０、図２１参照）が取付けられており、トップドア10を上方へ開放した状態（図２５参照）において、箱状ゲームユニットキャビネット９の上方から扁平直方体状制御ユニットケース18を箱状ゲームユニットキャビネット９の左側板９ｃとＣＲＴ表示装置12との間隙から下して、摺動部材37をガイドレール36に嵌装した後、静かに扁平直方体状制御ユニットケース18を下せば、扁平直方体状制御ユニットケース18を箱状ゲームユニットキャビネット９内に安定して取付けることができるようになっている。
【００３１】
さらに、扁平直方体状制御ユニットケース18の右側板18ｇには、取付けブラケット39の上下両端部が一体に固着され、該取付けブラケット39の上下両端部に平面視Ｖ状溝40ａが形成された挟持片40が一体に装着されており、制御基盤33を扁平直方体状制御ユニットケース18内に装入した場合に、制御基盤33の奥側上下端縁が挟持片40の平面視Ｖ状溝40ａに嵌合し、制御基盤33は扁平直方体状制御ユニットケース18内で確固と安定して固定されるようになっている。
【００３２】
さらにまた、図２１に図示されるように、扁平直方体状制御ユニットケース18の奥側板18ｆと制御部品取付け板35ａの奥側端縁とに、それぞれ、コネクター41，42が設けられており、制御基盤33を挟持片40に嵌合した場合に、コネクター41，42が相互に結合され、扁平直方体状制御ユニットケース18に設けられている導線と制御基盤33の各種電子部品とが電気的に接続されるようになっている。
【００３３】
しかも、密閉板34にも握持部43が取付けられるとともに、その下方に錠止機構44が設けられ、錠止機構44に差込まれたキー（図示されず）を廻すと、錠止機構44に設けられた係止片45が回転し、扁平直方体状制御ユニットケース18の手前板18ａの係止受部材46（図２１参照）に係止片45が係止して、扁平直方体状制御ユニットケース18より制御基盤33が手前側に引出すことができないようになっている。
【００３４】
そして、扁平直方体状制御ユニットケース18の左側板18ｃと頂板18ｄとには、電波が漏れない程度の小径の換気孔47が多数形成されるとともに、密閉板34の外周縁に密着保持部材48が複数個設けられ、扁平直方体状制御ユニットケース18内の電波が外部に漏れないようになっているとともに、空気が自由に扁平直方体状制御ユニットケース18内を通過しうるようになっている。
【００３５】
次に、図２３ないし図２７に図示されるように、トップドア10の開閉を円滑に行なうための機構について説明する。
【００３６】
箱状ゲームユニットキャビネット９において、肘掛け部11の下方に位置して肘掛け部11の手前縁を支持する支持部材49は、図２３ないし図２７に図示されるように、段状に形成され、図２７に図示されるように、該支持部材49の最下段水平部片49ａに切欠き部49ｂが形成され、該切欠き部49ｂに隣接した最下段水平部片49ａの下面に左右１対のガスシリンダ枢支ブラケット50が一体に固着され、該ガスシリンダ枢支ブラケット50にガスシリンダ51の下端がボルトナット52を介して枢着されている。
【００３７】
また、図１２に図示されるように、トップドア10の下面において、表示開口10ａの右側に隣接して、ガスシリンダ受け部材53が一体に装着され、前記ガスシリンダ51の上端がボルトナット54を介して該ガスシリンダ受け部材53に枢着されている。
【００３８】
さらに、箱状ゲームユニットキャビネット９には、紙幣収受装置13を箱状ゲームユニットキャビネット９内の空間から仕切り密封する密封箱55の左側板55ａにダンパー取付けブラケット56が固着され、該ダンパー取付けブラケット56にオイルダンパー57が一体に装着されており、図２５に図示されるように、トップドア10が開放された状態で、オペレータがトップドア10を下方へ引下すと、トップドア10の自重によるモーメントが次第に増加して、トップドア10が加速されるが、図２６に図示されるように、トップドア10が閉塞される直前には、トップドア10のガスシリンダ受け部材53がオイルダンパー57に当接し、トップドア10の下降が該オイルダンパー57によって大巾に減速され、トップドア10は箱状ゲームユニットキャビネット９に大きな衝撃力で衝突することなく、静かに閉じることができる。
【００３９】
次に、ＣＲＴ表示装置12の上面にジュース等の飲料がこぼれた場合に、この飲料が箱状ゲームユニットキャビネット９内に浸入しないように構成された図２８ないし図３３に図示の構造について説明する。
【００４０】
合成樹脂製樋状液受け部材60が図３１ないし図３２に図示のように形成され、図３０に図示されるように、該樋状液受け部材60の開口部60ａに隣接した周辺部60ｂがＣＲＴ表示装置12の表示部12ａの外周縁近傍に密接するように、樋状液受け部材60はＣＲＴ表示装置12に嵌合され、該樋状液受け部材60の周辺部60ｂの上面に軟質ゴムのような弾性材61を介してタッチパネル62が一体に貼着され、トップドア10の開口部10ａに隣接した下面に、弾性材61と同様な弾性材63を介して枠部材64が一体に取付けられ、トップドア10を下方へ閉じた場合、枠部材64がタッチパネル62に密接しうるようになっている。
【００４１】
また、樋状液受け部材60の右方手前側に、排液スリーブ60ｃが一体に設けられ、該排液スリーブ60ｃに可撓性連通管65の上端が一体に嵌着されている。
【００４２】
さらにまた、図２８に図示されるように、支持部材49の上方段部49ｃに一部重なり、かつ前記排液スリーブ60ｃより下方に位置するように、図示されない皿受け部材を介して、液収納体たる液収納皿66が水平方向へ移動しないように載置され、該液収納皿66の受けスリーブに連通管65の下端が一体に嵌着されており、樋状液受け部材60に流入した液が連通管65を介して液収納皿66に導かれるようになっている。
【００４３】
その次に、図３４ないし図３８に図示されたトップドア10の上下開閉位置の調整機構について説明する。
【００４４】
図３４および図３６に図示されるように、支持部材49の上方段部49ｃの左右２個所に、２対のフックブラケット67が一体に取付けられ、図３６に図示の各対をなしたフックブラケット67間で、図３７および図３８に図示の係脱片68とフック片69とが、ピン68ａ，69ａを介して該フックブラケット67に左右に揺動自在に枢着され、両係脱片68，フック片69に引張コイルスプリング70が介装され、係脱片68の係止片68ｂにフック片69の係合片69ｂが係止されている。
【００４５】
また、支持部材49の上方段部49ｃより手前側に立上った手前壁49ｄに錠止機構71が設けられ、該錠止機構71の揺動片71ａに突設されたピン71ｂは、支持部材49の上方段部49ｃに接して設けられた連結板72の窓72ａに遊嵌され、該連結板72の両端部に突設されたピン72ｂは、係脱片68の孔68ｃに嵌合されており、錠止機構71に図示されないキーを差込んで左右に廻すと、連結板72が左右に移動し、係脱片68が左右に揺動されるようになっている。
【００４６】
さらに、フックブラケット67の上方に位置して、肘掛け部11を支持するトップドア10の肘掛け支持板10ｆに、チャンネル状取付け部材73が溶接等で一体に固着され、該チャンネル状取付け部材73の左方部片73ａには前後２個所に上下方向へ指向した長孔（図示されず）形成されるとともに、該チャンネル状取付け部材73の右方部片73ｂには１個所に上下方向に指向した長孔73ｄが形成され、該チャンネル状取付け部材73の頂部片73ｃに孔73ｅが形成されている。
【００４７】
さらにまた、チャンネル状取付け部材73の左右部片73ａ，73ｂ内に嵌合しうるチャンネル状昇降部材74の頂部片74ｃの略左右中央部に側方視Ｕ状係合部材75が一体に固着され、該チャンネル状昇降部材74の左右部片74ａ，74ｂを貫通したボルト76がチャンネル状取付け部材73の長孔73ｄに嵌挿され、ボルト76の先端にナット77が螺着され、前記チャンネル状取付け部材73の孔73ｅの直下に位置してナット78がチャンネル状昇降部材74の頂部片74ｃに一体に溶接で固着されている。
【００４８】
しかも、前記チャンネル状取付け部材73の頂部片73ｃの孔73ｅに上方から下方へ向けて調節ネジ79が貫通され、該調節ネジ79の頂部79ａが押え片80に回転可能に接した状態で、該押え片80はトップドア10の肘掛け支持板10ｆに一体に取付けられ、該押え片80はナット78に螺合し、その下端に直径方向の溝（図示されず）が形成れている。
【００４９】
さらにその次に、図３９ないし図４５に図示された紙幣収受装置13の昇降機構について説明する。
【００５０】
紙幣収受装置13は、図４０ないし図４２に図示されるように、前後に細長く前面形状が略正方形状の紙幣検出器81と、該紙幣検出器81の巾と略同一で前後寸法が紙幣検出器81より短かく、かつ紙幣検出器81の上方長さより長い扁平直方体状の紙幣収納器82とよりなり、紙幣収納器82の上方に接して紙幣検出器81が重ねられた状態で、紙幣収受ケース83に紙幣検出器81および紙幣収納器82が格納され、紙幣検出器81は紙幣収納器82上を前後に摺動して、手前側に引出され、紙幣収受ケース83より分離されるようになっている。
【００５１】
また、紙幣収受ケース83は、図２４ないし図２６および図３９に図示される側面視変形５角形状の密封箱55内に収納され、前記密封箱55の左右側板55ａ，55ｂの内面と、紙幣収受ケース83の左右側板83ａ，83ｂの外面とにスライドレール84がそれぞれ介装されており、該スライドレール84に案内されて、紙幣収受ケース83は密封箱55から上下に昇降自在に出没しうるようになっている。
【００５２】
さらに、密封箱55の左右側板55ａ，55ｂの手前側縁と下縁と奥側縁とに前板55ｃ，底板55ｄ，奥板55ｅとが一体に装着され、前記トップドア10のヒンジ58と同一軸線上に、カバーヒンジ85を介して密封カバー86が密封箱55の奥板55ｅの上端に枢着され、該密封カバー86の手前片86ａに錠止機構87が設けられており、錠止機構87に差込まれた図示されないキーを旋回させて、錠止機構87の係止片87ａを密封箱55の前板55ｃの係止孔（図示されず）から外し、錠止機構87を解錠した後、密封カバー86を上方へ開放させると、図４３に図示されるように、紙幣検出器81の上部が露出されるようになっている。
【００５３】
さらにまた、紙幣収受ケース83より奥側に位置して密封箱55内にウィンドリフター88が設けられ、該ウィンドリフター88から繰出さらたワイヤ88ａの先端が紙幣収受ケース83の奥側底部に結着されており、該ウィンドリフター88の付勢力により、紙幣収受ケース83は軽く上下に昇降しうるようになっている。
【００５４】
また、密封箱55の右側板55ｂにガイド板89が一体に装着され、該ガイド板89に上方から下方に向ってガイド溝89ａが形成され、紙幣収受ケース83の右側板83ｂには上下にガイドピン83ｃ，83ｄが突設されており、該ガイドピン83ｃ，83ｄはガイド板89のガイド溝89ａ内を上下に摺動しうるようになっている。
【００５５】
さらに、密封箱55の右側板55ｂおよびガイド板89に、軸90が左方へ突設され、該軸90に操作レバー91，上昇制限部材92が枢着されて、該操作レバー91の奥側上部に係止片91ａが左方へ折曲されて、該係止片91ａは上昇制限部材92の手前側片92ａの上端奥縁92ｅに係合しうるようになっている。
【００５６】
さらにまた、上昇制限部材92は略Ｊ状に形成され、手前側片92ａの奥縁の上下部に係止爪92ｃ，92ｄが形成され、上昇制限部材92の奥側片92ｂの上端とガイド板89とに引張コイルスプリング93が張設されており、該引張コイルスプリング93のバネ力により上昇制限部材92は奥側へ付勢されて、係止爪92ｃ，92ｄは、ガイド板89のガイド溝89ａに突出し、紙幣収受ケース83のガイドピン83ｃ，83ｄに係止しうるようになっている。
【００５７】
しかも、密封箱55の前板55ｃの内面上部に錠止機構94が設けられており、該錠止機構94の係止片94ａは、操作レバー91の手前片91ｂに当接しうるようになっている。
【００５８】
次に本カジノゲーム機０の警備装置100 について述べる。
【００５９】
箱状ゲームユニットキャビネット９には、トップドア10，マシンドア24，キャッシュボックスドア26，紙幣収受装置13の密封カバー86，扁平直方体状制御ユニットケース18の密閉板34の５つのドアがあり、中でも特にキャッシュボックスドア26と紙幣収受装置13の開閉には警備上の問題が大きいが、他の３つのドアも含めてドアの開閉について２４時間監視する警備装置100 が装備されている。
【００６０】
警備装置100 の概略構成図を図４６に示す。
【００６１】
箱状ゲームユニットキャビネット９の５つのドア10，24，26，密封カバー86，密閉板34には、それぞれドアの開閉を検知するドアスイッチ101 ａ，101 ｂ，101 ｃ，101 ｄ，101 ｅが設けられており、図４６では代表してドアスイッチ101 ｃを図示しているが、他のドアスイッチも並列に配設されている。
【００６２】
ドアスイッチ101 ｃは、切換えスイッチであり、接地された共通端子ａとドアが閉じている時に短絡する端子ｂとドアが開いている時に短絡する端子ｃとかならり、端子ｂは通電時ドア開閉監視回路102 に接続され、他方の端子ｃは電断時ドア開閉監視回路103 に接続されている。
【００６３】
通電時ドア開閉監視回路102 は、主電源との通電時にドアスイッチ101 ｃ（５つのドアスイッチ全て）の開閉を監視し、ドアスイッチ101 ｃ（５つのドアスイッチのうち少なくとも１つのドアスイッチ）が開状態にあるときは、その開状態を検知した検知信号で表示制御回路105 に出力する。
【００６４】
一方電断時ドア開閉監視回路103 は、主電源との通電が切られた電断時にバッテリ106 の電力によりドアスイッチ101 ｃ（５つのドアスイッチ全て）の開閉を監視し、ドアスイッチ101 ｃ（５つのドアスイッチのうち少なくとも１つのドアスイッチ）が１度でも開らくと、これを検知して検知信号をドア開動作検知信号保持回路104 に出力する。
【００６５】
ドア開動作検知信号保持回路104 は、バッテリ106 の電力により動作し、電断時ドア開閉監視回路103 から検知信号があると、検知信号を保持し、表示制御回路105 に検知信号があった旨の信号を出力し、表示制御回路105 から保持解除信号があるまで同信号を出力し続ける。
【００６６】
表示制御回路105 は、前記ＣＴＲ表示装置12の表示制御を行う。
【００６７】
ここで通電時ドア開閉監視回路102 ，表示制御回路105 ，ＣＲＴ表示装置12その他の箱状ゲームユニット２の各機器が主電源の電力で動作するのに対して、電断時ドア開閉監視回路103 とドア開動作検知信号保持回路104 は、バッテリ106 で動作し、主電源を切ったときや、停電時にバッテリ106 により電断時ドア開閉監視回路103 ，ドア開動作検知信号保持回路104 の動作が確保され、５つのドアの開閉を監視し続けることができる。
【００６８】
いま主電源との通電時にいずれかのドアが開いて通電時ドア開閉監視回路102 から検知信号が表示制御回路105 に出力されると、表示制御回路105 はＣＲＴ表示装置12に”ＤＯＯＲ  ＯＰＥＮ”と緑色で表示される。
【００６９】
一方、主電源との通電が切られた電断時に、いずれかのドアが開いて電断時ドア開閉監視回路103 から検知信号がドア開動作検知信号保持回路104 に出力されると、ドア開動作検知信号保持回路104 は検知信号を保持し、該検知信号があった旨の信号を表示制御回路105 に出力し続ける。
【００７０】
そして主電源との通電があると、表示制御回路105 が動作してドア開動作検知信号保持回路104 からの出力信号を受け付け、ＣＲＴ表示装置12に”ＤＯＯＲ  ＯＰＥＮ”と赤色で特別表示させ警告する。
【００７１】
この警告が表示されると、電断時にいずれか少なくとも１つのドアが開けられたことを知ることができる。
【００７２】
そして警告解除信号が表示制御回路105 に出力れると、表示制御回路105 は、ＣＲＴ表示装置12による赤色の”ＤＯＯＲ  ＯＰＥＮ”表示を停止し、かつドア開動作検知信号保持回路104 に保持解除信号を出力してドア開動作検知信号保持回路104 からの信号出力を停止させる。
【００７３】
以上の表示制御回路105 によるＣＲＴ表示装置12の表示制御の動作手順を図４７に示す。
【００７４】
まず主電源に通電してスタートすると電断時検知信号（ドア開動作検知信号保持回路104 からの検知信号）があったか否か判別し（ステップ１）、電断時検知信号がなければ、ステップ２に進み、通電が切られ電断したか否かを判別し、電断すれば終了し、電断せず通電状態にあればステップ３に進む。
【００７５】
ステップ３では通電時検知信号（ドア開動作検知信号保持回路104 からの検知信号）の有無を判別し、無ければステップ２に戻り、有ればステップ４に進みＣＲＴ表示装置12に緑色で”ＤＯＯＲ  ＯＰＥＮ”を表示させ、次のステップ５で再び通電時検知信号の有無を判別して、該信号が継続してある限りステップ４に戻って緑色の”ＤＯＯＲ  ＯＰＥＮ”を表示を続け、ドアが閉じ通電時検知信号が無くなると、ステップ２に戻り、表示を停止する。
【００７６】
一方主電源に通電してスタートしステップ１で電断時検知信号が有ると判別したときは、ステップ６に飛び、ＣＲＴ表示装置12に赤色で”ＤＯＯＲ  ＯＰＥＮ”を表示させる。
【００７７】
次のステップ７で解除信号があるまでステップ６を繰り返して”ＤＯＯＲ  ＯＰＥＮ”を赤色表示させ、解除信号があるとステップ８に抜け、表示を停止しドア開動作検知信号保持回路104 に保持解除信号を出力してステップ２に跳ぶ。
【００７８】
以上のよう通電時に５つのドアのうち少なくとも１つのドアが開くと緑色で”ＤＯＯＲ  ＯＰＥＮ”と表示されるので、現在のドアの状態を確認することができ、ドアの閉め忘れを防止したり、無理に開けられた場合でもすぐに検知することができる。
【００７９】
そして主電源との通電を切ったときや停電などの断電時にいずれか少なくとも１つのドアが開かれたことがあると、通電した時に箱状ゲームユニット２に赤色で”ＤＯＯＲ  ＯＰＥＮ”と警告表示されるので、電断時にドアが開かれたか否かを知ることができる。
【００８０】
このように本警備装置100 は、２４時間ドアの開閉の監視を行うことができる。
【００８１】
電断時にはバッテリ106 で最小限の電力で監視を行なうことができる。
【００８２】
以上の警備装置100 は、５つのドアの少なくとも１つでも開いたときは、表示を行うようにしていたが、５つのドアそれぞれの開閉を識別できる信号を通電時ドア開閉監視回路102 およびドア開動作検知信号保持回路104 が出力するようにし、ＣＲＴ表示装置12も各々異な表示を行うことでどのドアが開かれたかが分かるようにすることもできる。
【００８３】
また表示方法はＣＲＴ表示装置12に限らず色違いのランプを表示させるようにしてもよい。
【００８４】
図面に図示された本出願発明の実施形態は、前記したように構成されているので、マシンドア24を開放させた状態において、マシンドア24の自重によりマシンドア24の右側がヒンジ23寄りの左側に比べて下って平行四辺形状に変形しても、マシンドア24を閉じる際に、マシンドア開閉ガイド片25によりマシンドア24の右側が持上げられて、矩形状に矯正され、マシンドア開閉ガイド片25の下縁がキャッシュボックスドア26の上縁と平行に保たれ、マシンドア24およびキャッシュボックスドア26は円滑に開閉することができる。
【００８５】
また、箱状ゲームユニットキャビネット９の底板９ｅの手前側左右両端部に、図１４ないし図１６に図示されるようにキャスター28が設けられ、底板９ｅの奥側左右両端部に車輪29がブラケット30を介して設けられているため、床面上の箱状ゲームユニットキャビネット９を安定して容易に所要の方向に移動させることができる。
【００８６】
さらに、床に段差部がある場合には、箱状ゲームユニットキャビネット９の背板９ａに設けられている握持用取手32を握って、図１６に図示のように、箱状ゲームユニットキャビネット９を後方へ倒し、後向きに引張るよういに移動させれば、１人でも容易に段差部を乗越えて、箱状ゲームユニットキャビネット９を運搬することができる。
【００８７】
さらにまた、カジノゲーム機本体１と箱状ゲームユニット２との間、あるいは隣接する箱状ゲームユニット２の間に、コインを落とした場合でも、所要の箱状ゲームユニットキャビネット９のみを手前側に移動させて、他の箱状ゲームユニット２と無関係に、落としたコインを容易に回収することができる。
【００８８】
しかも、箱状ゲームユニットキャビネット９を床上に固定したい場合には、固定用スタッドボルト31を下方へ延ばして、該固定用スタッドボルト31で箱状ゲームユニットキャビネット９を支持するようにすればよい。
【００８９】
また、図９に図示されるように、箱状ゲームユニットキャビネット９の左側板９ｃと、ＣＲＴ表示装置12および電源ユニット16との狭い空間内に、扁平面が上下、前後方向に沿って、扁平直方体状制御ユニットケース18が箱状ゲームユニットキャビネット９内に収納されているため、箱状ゲームユニットキャビネット９内の空間が有効に活用され、箱状ゲームユニットキャビネット９の小型化が可能となる。
【００９０】
さらに、箱状ゲームユニットキャビネット９の左側板９ｃに取付けられたガイドレール36に、扁平直方体状制御ユニットケース18の左側板９ｃと一体の摺動部材37を嵌合させるようにしたため、トップドア10を開放した状態で、握持部38を持ち、扁平直方体状制御ユニットケース18を上方へ引上げることにより、扁平直方体状制御ユニットケース18を箱状ゲームユニットキャビネット９内より容易に取出すことができる。
【００９１】
さらにまた、扁平直方体状制御ユニットケース18の左側板18ｃと頂板18ｄとに多数の換気孔47が設けられているため、扁平直方体状制御ユニットケース18内を空気が円滑に流動でき、扁平直方体状制御ユニットケース18内の各種電子部品は充分に冷却されうる。
【００９２】
しかも、錠止機構44を解錠し、密着保持部材48を緩めれば、握持部43を持って手前に引けば、制御基盤33を簡単に取出して、所要の制御基盤33の修理、保守、整備等を容易に行なうことができる。
【００９３】
また、ガスシリンダ51でもってトップドア10の自重を支えているため、トップドア10を軽快に開閉することができる。
【００９４】
さらに、トップドア10が上方へ開放された状態から、図２６に図示のように閉じられる直前になって、トップドア10の閉じ方向のモーメントが著しく増大した場合に、ガスシリンダ51のバネ力よりも大きな抵抗力を有するヒンジ58でもって、トップドア10の大きな閉じ方向力が支えられ、トップドア10は箱状ゲームユニットキャビネット９に激しく衝突することなく、静粛に閉じることができる。
【００９５】
そして、カジノゲーム機０のゲーム中に、箱状ゲームユニット２の直前に立ち、または肘掛け部11に肘をついたプレイヤーが、誤ってジュース等の飲料をＣＲＴ表示装置12上にこぼしても、ＣＲＴ表示装置12の表示面12ａ上に張設されたタッチパネル62に遮断され、枠部材64でもってトップドア10上にまたは樋状液受け部材60内に導かれ、箱状ゲームユニットキャビネット９内のＣＲＴ表示装置12，電源ユニット16，コイン払出し装置17，扁平直方体制御ユニットケース18，コイン検収装置19等に飲料が浸入することが阻止され、これらの故障、損傷が未然に防止される。
【００９６】
また、樋状液受け部材60内に流入した飲料は連通管65を介して液収納皿66に流入し、該液収納皿66に貯められるが、トップドア10を開放すれば、液収納皿66を容易に取出して、液収納皿66内の飲料を楽に処分することができる。
【００９７】
さらに、マシンドア24を開けずに、トップドア10のみを開ければよいため、プレイヤーは、箱状ゲームユニットキャビネット９の前に立ったまま、ＣＲＴ表示装置12を見て、ゲームを続行することができる。
【００９８】
また、トップドア10の閉じ位置を調整するためには、トップドア10を開放させた状態でナット77を緩めた後、調節ネジ79の下端に設けられた直径方向溝（図示されず）にドライバーを係合させて、調節ネジ79を螺回すれば、チャンネル状昇降部材74はチャンネル状取付け部材73に対し上下に昇降でき、所要の調整が遂行される。
【００９９】
そして、所要の調整後、ナット77を再び緊締すれば、チャンネル状昇降部材74はチャンネル状取付け部材73に強固に固定され、所要の調整状態が保持される。
【０１００】
このように、調節ネジ79の螺回調整作業中に、何回もトップドア10を開閉して調節ネジ79に力が加わっても、チャンネル状昇降部材74と一体のナット78に調節ネジ79が螺合しているため、チャンネル状取付け部材73に対しチャンネル状昇降部材74はそれ程大きく移動せずにその位置を保持できる結果、調節ネジ79の螺回調整作業を何回も反覆して行なうことができ、トップドア10の閉じ位置調整が適正に遂行される。
【０１０１】
また、紙幣収受装置13は、トップドア10の開閉と無関係に密封箱55および密封カバー86で密封されているため、トップドア10を開放して、紙幣収受装置13以外のＣＲＴ表示装置12，コイン払出し受け部14，電源ユニット16，コイン払出し装置17，扁平直方体状制御ユニットケース18の機器の保持、修正を行なっても、紙幣収受装置13内の紙幣を盗まれる惧れが全くない。
【０１０２】
さらに、トップドア10のヒンジ58と密封カバー86のカバーヒンジ85とは同一軸線上に並んでいるため、トップドア10と密封カバー86との開閉を相互に干渉されずにそれぞれ別個に自由に行なうことができる。
【０１０３】
さらにまた、図４３のように、紙幣収受装置13の修理、保守、点検を行なうサービスマンが錠止機構87専用のキーを錠止機構87に差込み、錠止機構87を解錠して密封カバー86を上方へ開放すれば、紙幣検出器81の上部が露出し、紙幣収受ケース83の上部で紙幣を手前から奥に向けて送る紙幣送り機構に詰っている紙幣を簡単に取除くことができる。
【０１０４】
しかも、操作レバー91を手前に引けば、図４４に図示のように、上昇制限部材92がこれに連動して時計方向へ揺動して、上方の係止爪92ｃが紙幣収受ケース83のガイドピン83ｃより外れ、ウィンドリフター88の付勢力でもって紙幣収受ケース83は上昇し、紙幣収受ケース83のガイドピン83ｄが上昇制限部材92の係止爪92ｄに係止されて、紙幣検出器81のみが密封箱55より上方へ露出することができる。その結果、紙幣収納器82に対して紙幣検出器81のみを手前側に引出して、紙幣収受ケース83より紙幣検出器81を取出すことができ、紙幣検出器81の修理、点検等を行なうことができる。
【０１０５】
また、カジノゲーム機０を管理している管理人は、錠止機構87と錠止機構94のキーを両方共持っており、錠止機構87，94を解錠すれば、操作レバーをさらに手前側に揺動させることができ、その結果、紙幣収受ケース83のガイドピン83ｄより下方の係止爪92ｄが外れて、図４５に図示されるように、ウィンドリフター88の付勢力により紙幣収受ケース83は上限位置迄上昇し、紙幣収納器82を紙幣収受ケース83より取外し、紙幣収納器82内の紙幣を取出すことができる。
【０１０６】
このように、紙幣収受装置13には、２個の錠止機構87と錠止機構94を設け、サービスマンには、錠止機構87のキーのみ渡し、カジノゲーム機０の管理者には、錠止機構87と錠止機構94の２種類のキーを持つようにしているため、サービスマンが修理中に、紙幣収納器82内の紙幣を取出すことを防止できる。
【０１０７】
図示の実施形態は、カジノゲーム機に本出願発明を適用したが、競馬ゲーム機、競艇ゲーム機等、他のゲーム機にも、本出願発明を適用することができる。
【図面の簡単な説明】
【図１】  本出願発明のゲームユニット構造を備えたカジノゲーム機の全体斜視図である。
【図２】  図１の側面図である。
【図３】  図１に図示のゲームユニット構造の一実施形態を図示した正面図である。
【図４】  図３の左側面図である。
【図５】  図３の右側面図である。
【図６】  図３の右側面図の平面図である。
【図７】  図３の右側面図の背面図である。
【図８】  図３の右側面図の底面図である。
【図９】  図３の右側面図内の各機器の配置状態を図示した正面図である。
【図１０】  図９の右側面図である。
【図１１】  図９の平面図である。
【図１２】  トップドアの平面図である。
【図１３】  図４の詳細図である。
【図１４】  図１３の一部縦断拡大側面図である。
【図１５】  箱状ゲームユニットの移動運搬状態を図示した左側面図である。
【図１６】  図１５において箱状ゲームユニットを傾けた左側面図である。
【図１７】  扁平直方体状制御ユニットケースの分解斜視図である。
【図１８】  扁平直方体状制御ユニットケースの左側面図である。
【図１９】  扁平直方体状制御ユニットケースの正面図である。
【図２０】  扁平直方体状制御ユニットケースの平面図である。
【図２１】  扁平直方体状制御ユニットケースの縦断側面図である。
【図２２】  制御基盤の分解斜視図である。
【図２３】  箱状ゲームユニットの一部欠截正面図である。
【図２４】  トップドアを閉じた状態の箱状ゲームユニットの縦断側面図である。
【図２５】  トプドアを全開した状態の箱状ゲームユニットの縦断側面図である。
【図２６】  トップドアを閉じる直前の箱状ゲームユニットの縦断側面図である。
【図２７】  ガスシリンダの下端枢支部の斜視図である。
【図２８】  液受け構造部を図示した箱状ゲームユニット内の頂部側面図である。
【図２９】  図２８の平面図である。
【図３０】  図２８の要部拡大縦断面図である。
【図３１】  樋状液受け部材の平面図である。
【図３２】  樋状液受け部材の正面図である。
【図３３】  樋状液受け部材の右側面図である。
【図３４】  トップドアの閉じ位置調整機構の正面図である。
【図３５】  図３４の要部拡大正面図である。
【図３６】  図３４の要部拡大左側面図である。
【図３７】  トップドアの係止機構の側面図である。
【図３８】  図３７で外した状態の側面図である。
【図３９】  紙幣収受装置の左側面図である。
【図４０】  紙幣収受ケースの左側面図である。
【図４１】  紙幣収受ケースの正面図である。
【図４２】  紙幣収受ケースの平面図である。
【図４３】  密封カバーを開放した状態の紙幣収受ケースの縦断側面図である。
【図４４】  密封カバーを開放し、操作レバーを手前に引いた状態の縦断側面図である。
【図４５】  密封カバーを開放し、錠止機構を解錠して操作レバーを最も手前に引いた状態の縦断側面図である。
【図４６】  カジノゲーム機本体の警備装置の概略構成図である。
【図４７】  同警備装置の表示制御回路におる表示制御の動作手順を示すフローチャートである。
【符号の説明】
０…カジノゲーム機、１…カジノゲーム機本体、２…箱状ゲームユニット、３…サイコロ、４…サイコロ振出し装置、５…ゲーム制御装置、６…表示装置、７…支持部、８…照明装置、９…箱状ゲームユニットキャビネット、10…トップドア、11…肘掛け部、12…ＣＲＴ表示装置、13…紙幣収受装置、14…コイン払出し受け部、15…表示灯、16…電源ユニット、17…コイン払出し装置、18…扁平直方体状制御ユニットケース、19…コイン検収装置、20…コイン補充シュート、21…キャッシュボックス、22…返却受け部、23…ヒンジ、24…マシンドア、25…マシンドア開閉ガイド片、26…キャッシュボックスドア、27…ヒンジ、28…キャスター、29…車輪、30…ブラケット、31…固定用スタッドボルト、32…握持用取手、33…制御基盤、34…密閉板、35…制御部品取付け板、36…ガイドレール、37…摺動部材、38…握持部、39…取付けブラケット、40…挟持片、41，42…コネクター、43…握持部、44…錠止機構、45…係止片、46…係止受部材、47…換気孔、48…密着保持部材、49…支持部材、50…ガスシリンダ枢支ブラケット、51…ガスシリンダ、52…ボルトナット、53…ガスシリンダ受け部材、54…ボルトナット、55…密封箱、56…ダンパー取付けブラケット、57…オイルダンパー、58…ヒンジ、60…樋状液受け部材、61…弾性材、62…タッチパネル、63…弾性材、64…枠部材、65…連通管、66…液収納皿、67…フックブラケット、68…係脱片、69…フック片、70…引張コイルスプリング、71…錠止機構、72…連結板、73…チャンネル状取付け部材、74…チャンネル状昇降部材、75…Ｕ状係合部材、76…ボルト、77，78…ナット、79…調節ネジ、80…押え片、81…紙幣検出器、82…紙幣収納器、83…紙幣収受ケース、84…スライドレール、85…カバーヒンジ、86…密封カバー、87…錠止機構、88…ウィンドリフター、89…ガイド板、90…軸、91…操作レバー、92…上昇制限部材、93…引張コイルスプリング、94…錠止機構、100 …警備装置、101 …ドアスイッチ、102 …通電時ドア開閉監視回路、103 …電断時ドア開閉監視回路、104 …ドア開動作検知信号保持回路、105 …表示制御回路、106 …バッテリ。
【図１】
0004265000.tif 000002
【図２】
0004265000.tif 000003
【図３】
0004265000.tif 000004
【図４】
0004265000.tif 000005
【図５】
0004265000.tif 000006
【図６】
0004265000.tif 000007
【図７】
0004265000.tif 000008
【図８】
0004265000.tif 000009
【図９】
0004265000.tif 000010
【図１０】
0004265000.tif 000011
【図１１】
0004265000.tif 000012
【図１２】
0004265000.tif 000013
【図１３】
0004265000.tif 000014
【図１４】
0004265000.tif 000015
【図１５】
0004265000.tif 000016
【図１６】
0004265000.tif 000017
【図１７】
0004265000.tif 000018
【図１８】
0004265000.tif 000019
【図１９】
0004265000.tif 000020
【図２０】
0004265000.tif 000021
【図２１】
0004265000.tif 000022
【図２２】
0004265000.tif 000023
【図２３】
0004265000.tif 000024
【図２４】
0004265000.tif 000025
【図２５】
0004265000.tif 000026
【図２６】
0004265000.tif 000027
【図２７】
0004265000.tif 000028
【図２８】
0004265000.tif 000029
【図２９】
0004265000.tif 000030
【図３０】
0004265000.tif 000031
【図３１】
0004265000.tif 000032
【図３２】
0004265000.tif 000033
【図３３】
0004265000.tif 000034
【図３４】
0004265000.tif 000035
【図３５】
0004265000.tif 000036
【図３６】
0004265000.tif 000037
【図３７】
0004265000.tif 000038
【図３８】
0004265000.tif 000039
【図３９】
0004265000.tif 000040
【図４０】
0004265000.tif 000041
【図４１】
0004265000.tif 000042
【図４２】
0004265000.tif 000043
【図４３】
0004265000.tif 000044
【図４４】
0004265000.tif 000045
【図４５】
0004265000.tif 000046
【図４６】
0004265000.tif 000047
【図４７】
0004265000.tif 000048